(57)【要約】【課題】表札板の取付けが簡単で、後日の表札板の交換の自由度も高い表札を提供する。【解決手段】表札１をなす表札板１２の支持体１１が、表札板１２の対向一対の側辺１２１を支持する対向一対の柱１１１と、柱１１１に架け渡されるカバー１１２と、固定ネジ１１３と、を備え、柱１１１には、上端から上下方向に側辺１２１の長さ以上に延びる第１の切込み１１１ｂと、上端から第１の切込み１１１ｂに繋がってその中途まで延び、さらに略直角に折れ曲がって延びる第２の切込み１１１ｃと、が形成され、カバー１１２には、第２の切込み１１１ｃに嵌め込まれる一対の突起１１２ｂ−６が形成され、表札板１２が柱１１１に取り付けられ、カバー１１２が、突起１１２ｂ−６が第２の切込み１１１ｃの中を移動するようにスライド移動され、固定ネジ１１３がカバー１１２を柱１１１に固定することを特徴とする。【選択図】図６
2015124581.tif 000002
【特許請求の範囲】
【請求項１】
矩形板形状の表札板と、該表札板を鉛直方向と平行に支持する支持体と、を有する表札において、
前記支持体が、
鉛直方向に延び、前記表札板における左右一対の２辺それぞれを各々が支持する対向一対の支持部材と、
前記表札板の上辺側に位置するように前記対向一対の支持部に架け渡されるカバーと、
前記カバーを前記支持部材に固定する固定部材と、を備え、
前記対向一対の支持部材には、それぞれ、上端から上下方向に前記左右一対の２辺の長さ以上に延びる第１の切込みと、前記上端から前記第１の切込みに沿って又は繋がってその中途まで延び、さらに該第１の切込みから離れる方向に略直角に折れ曲がって延びる第２の切込みと、が形成され、
前記カバーには、前記対向一対の支持部材それぞれの前記第２の切込みに各々が嵌め込まれる一対の突起が形成され、
前記表札板は、前記左右一対の２辺それぞれが、前記対向一対の支持部材それぞれの前記第１の切込みに上方からスライドして嵌め込まれることで前記対向一対の支持部材に取り付けられ、
前記カバーは、前記一対の突起それぞれが前記対向一対の支持部材それぞれの前記第２の切込みに嵌め込まれるように前記対向一対の支持部材に上方から載せられ、さらに、前記一対の突起それぞれが前記対向一対の支持部材それぞれの前記第２の切込み中を移動するように、前記対向一対の支持部材それぞれの前記第１の切込みから離れる方向にスライド移動され、
前記固定部材が、前記スライド移動された前記カバーを前記対向一対の支持部材に固定することを特徴とする表札。
【請求項２】
前記固定部材は、前記表札板における図柄が描かれた前面とは反対側の背面側から、前記カバーを前記対向一対の支持部材に固定することを特徴とする請求項１記載の表札。
【請求項３】
前記固定部材は、前記カバーの前記スライド移動の方向と同方向に引き付けて前記カバーを前記対向一対の支持部材に固定することを特徴とする請求項１又は２記載の表札。
【請求項４】
前記表札板の前記左右一対の２辺それぞれと、前記対向一対の支持部材それぞれの前記第１の切込みの内縁との間に、介在する一対のスペーサを、更に備えたことを特徴とする請求項１から３のうちいずれか１項記載の表札。
【請求項５】
前記カバーの、前記表札板側に、該表札板を照らす光を発する光源が取り付けられていることを特徴とする請求項１から４のうちいずれか１項記載の表札。
【発明の詳細な説明】
【技術分野】
【０００１】
本発明は、矩形板形状の表札板と、表札板を支持した支持体と、を有する表札に関するものである。
【背景技術】
【０００２】
従来、門柱等の支持体に矩形板形状の表札板を取り付けた表札が知られている（例えば、特許文献１〜３参照。）。このような表札の中に、例えば、次のような構造を有するものがある。
【０００３】
図８は、従来の表札の一例を示す図である。この図８に示されている表札５は、角柱状の門柱５１に矩形板形状の表札板５２を取り付けたものとなっている。表札板５２は、門柱５１において道路側を向く前面５１ａに、その四隅をネジ５３によってネジ止めされている。
【先行技術文献】
【特許文献】
【０００４】
【特許文献１】実公平７−５５２７１号公報
【特許文献２】特開２００６−２４１８７７号公報
【特許文献３】特開２００８−２８０７５５号公報
【発明の概要】
【発明が解決しようとする課題】
【０００５】
ここで、図８に示したように、表札板を門柱にネジ止めするタイプの表札では、その施工現場において、取り付ける表札に開けられている貫通孔に合わせて門柱にネジ孔を開ける必要が生じることが多く、このような作業が作業者の負担となっている。また、表札板が、施工主の所望の書体で彫刻を施す特注品等の場合、門柱の設置時に表札板が納品されているとは限らない。このような場合、門柱の設置後、表札板が納品されたときに、改めて上記のような孔開け作業を行う必要があり施工上の効率が低くなることがある。さらに、表札板については、施工主の好みで、後日に別の表札板に取り換えられることがある。しかしながら、図８に示したタイプの表札では、門柱に既に開けられているネジ孔によって、交換可能な表札が制限されることがある。このような事情に鑑み、表札板の取付けが簡単で、後日の表札板の交換の自由度も高い表札が求められている。
【０００６】
したがって、本発明は、表札板の取付けが簡単で、後日の表札板の交換の自由度も高い表札を提供することを目的とする。
【課題を解決するための手段】
【０００７】
上記課題を解決するために請求項１に記載の表札は、矩形板形状の表札板と、該表札板を鉛直方向と平行に支持する支持体と、を有する表札において、前記支持体が、鉛直方向に延び、前記表札板における左右一対の２辺それぞれを各々が支持する対向一対の支持部材と、前記表札板の上辺側に位置するように前記対向一対の支持部に架け渡されるカバーと、前記カバーを前記支持部材に固定する固定部材と、を備え、前記対向一対の支持部材には、それぞれ、上端から上下方向に前記左右一対の２辺の長さ以上に延びる第１の切込みと、前記上端から前記第１の切込みに沿って又は繋がってその中途まで延び、さらに該第１の切込みから離れる方向に略直角に折れ曲がって延びる第２の切込みと、が形成され、前記カバーには、前記対向一対の支持部材それぞれの前記第２の切込みに各々が嵌め込まれる一対の突起が形成され、前記表札板は、前記左右一対の２辺それぞれが、前記対向一対の支持部材それぞれの前記第１の切込みに上方からスライドして嵌め込まれることで前記対向一対の支持部材に取り付けられ、前記カバーは、前記一対の突起それぞれが前記対向一対の支持部材それぞれの前記第２の切込みに嵌め込まれるように前記対向一対の支持部材に上方から載せられ、さらに、前記一対の突起それぞれが前記対向一対の支持部材それぞれの前記第２の切込み中を移動するように、前記対向一対の支持部材それぞれの前記第１の切込みから離れる方向にスライド移動され、前記固定部材が、前記スライド移動された前記カバーを前記対向一対の支持部材に固定することを特徴とする。
【０００８】
請求項２に記載の表札は、請求項１記載の表札において、前記固定部材は、前記表札板における図柄が描かれた前面とは反対側の背面側から、前記カバーを前記対向一対の支持部材に固定することを特徴とする。
【０００９】
請求項３に記載の表札は、請求項１又は２記載の表札において、前記固定部材は、前記カバーの前記スライド移動の方向と同方向に引き付けて前記カバーを前記対向一対の支持部材に固定することを特徴とする。
【００１０】
請求項４に記載の表札は、請求項１から３のうちいずれか１項記載の表札において、前記表札板の前記左右一対の２辺それぞれと、前記対向一対の支持部材それぞれの前記第１の切込みの内縁との間に、介在する一対のスペーサを、更に備えたことを特徴とする。
【００１１】
請求項５に記載の表札は、請求項１から４のうちいずれか１項記載の表札において、前記カバーの、前記表札板側に、該表札板を照らす光を発する光源が取り付けられていることを特徴とする。
【発明の効果】
【００１２】
請求項１に記載された表札によれば、支持体への表札板の取付けは、対向一対の支持部材に表札板をスライドして取り付け、カバーを支持部材に載せてスライド移動させ、最後に固定部材でカバーを支持部材に固定することで行われる。このような一連の作業では、表札板については、支持部材にスライドして取り付けるだけでよくネジ止め等の固定作業が不要となる。つまり、請求項１に記載された表札によれば、上述したような門柱（支持体）への孔開け作業が不要であり、施工における作業者の負担を軽減することができる。また、表札板はスライドして取り付けるだけでよいことから、仮に表札板の納品が門柱（支持体）の施工後となったとしても、表札板の取付けを簡単に行うことができる。さらには、同様の理由により、表札板の交換も簡単に行うことができるため、図８を参照して説明したような交換上の制限を受けることがなく、表札板の交換の自由度も高い。つまり、請求項１に記載された表札は、表札板の取付けが簡単で、後日の表札板の交換の自由度も高い。
【００１３】
請求項２に記載された表札によれば、例えばネジ等といった固定部材は、表札板における背面側という、人の目に触れ難い方向からカバーを支持部材に固定する。その結果、請求項２に記載された表札は、例えば表札板の四隅等といった人の目に触れやすい位置に固定部材が現れず、表札板の見栄えについて向上されたものとなっている。
【００１４】
請求項３に記載された表札によれば、固定部材が、カバーのスライド移動の方向と同方向にそのカバーを引き付ける役割も果たす。これにより、カバーのスライド移動が仮に不十分だったとしても、カバーの突起が第２の切込みから外れてカバーが動いてしまうといった事態が回避されるので、カバーの取付けを安定的に行うことができる。
【００１５】
請求項４に記載された表札によれば、表札板の左右一対の２辺それぞれと、対向一対の支持部材それぞれの第１の切込みの内縁との間に介在するスペーサにより、表札板の左右の各辺と第１の切込みの内縁との間のスペースが埋められ、表札板がガタつきを抑えられた状態で支持部材に保持されることとなる。
【００１６】
請求項５に記載された表札によれば、カバーの表札板側という人の目に付き難い場所に光源が取り付けられるので、表札全体の見栄えを損なうことなく、夜間でも表札板の視認性を高めることができる。
【図面の簡単な説明】
【００１７】
【図１】本発明の実施形態にかかる表札を示す斜視図である。
【図２】図１に示されている表札の、道路側を向いた前面、その前面側から見た左右の両側面、及び上面の平面図である。
【図３】図１及び図２に示されている表札の分解斜視図である。
【図４】図３に示されているスペーサの拡大図である。
【図５】図１及び図２に示されている表札の、図２中のＡ−Ａ切断線に沿った断面を示す断面図である。
【図６】図３に示されているカバーの取付けについて説明する図である。
【図７】図１及び図２に示されている表札の、図２中のＢ−Ｂ切断線に沿った断面を示す断面図である。
【図８】従来の表札の一例を示す図である。
【発明を実施するための形態】
【００１８】
本発明の実施形態にかかる表札を図１〜図７を参照して説明する。
【００１９】
図１は、本発明の実施形態にかかる表札を示す斜視図である。図２は、図１に示されている表札の、道路側を向いた前面、その前面側から見た左右の両側面、及び上面の平面図である。図１及び図２に示されている表札１は、帯板状の２本の柱１１１（支持部材）を備えた門柱１１（支持体）に、矩形板形状の表札板１２を鉛直方向と平行に支持させたものとなっている。図１には、表札１を、道路側を向いて表札板１２に記載された名前１２ａが読める前面側から見た斜視図が示されている。
【００２０】
２本の柱１１１は、後述するように中空の角筒である。そして、これら２本の柱１１１の相互間で互いに対向する一対の壁が、表札板１２の、前面側から見たときの左右の２辺を支持する支持壁１１１ａとなっている。門柱１１は、これら２本の柱１１１の他に、表札板１２の、前面側から見たときの上辺側に位置するように２本の柱１１１に架け渡されるカバー１１２と、このカバー１１２を柱１１１に固定する固定ネジ１１３（固定部材）と、後述のスペーサ１１４（図３及び図４に図示）と、を備えている。また、２本の柱１１１の間で、表札板１２の下方となる位置には、表札板１２の、前面側から見たときの左右方向の幅に応じた間隔を開けて２本の柱１１１を連結する連結部１１５が配置されている。
【００２１】
図３は、図１及び図２に示されている表札の分解斜視図である。この図３には、図１と同様に、表札１を前面側から見た図が示されている。尚、この図３では、図１及び図２に示されている連結部１１５については、その図示が省略されている。
【００２２】
この図３に示されているように、各柱１１１における支持壁１１１ａには、上端から上下方向に、表札板１２の左右一対の側辺１２１の長さ以上に延びる第１の切込み１１１ｂが形成されている。表札板１２は、左右一対の側辺１２１それぞれがこの第１の切込み１１１ｂにスライドして嵌め込まれることで対向一対の支持壁１１１ａに取り付けられる。
【００２３】
ここで、本実施形態では、門柱１１には、表札板１２の左右一対の側辺１２１それぞれと、左右一対の柱１１それぞれの第１の切込み１１１ｂの内縁との間に介在する左右一対のスペーサ１１４が備えられている。本実施形態では、スペーサ１１４は、樹脂で形成されている。
【００２４】
図４は、図３に示されているスペーサの拡大図である。この図４には、互いに同一形状を有している左右一対のスペーサ１１４のうち右側のスペーサ１１４が代表例として示されている。図４（ａ）には、スペーサ１１４の斜視図が示されている。また、図４（ｂ）には、柱１１の支持壁１１１ａにおける第１の切込み１１１ｂに嵌め込まれたスペーサ１１４の、その嵌込み方向と直交する断面が示されている。
【００２５】
この図４及び図３に示されているように、スペーサ１１４には、表札板１２の側辺１２１が嵌め込まれる表札板用溝１１４ａが形成されている。更に、このスペーサ１１４の外面には、支持壁１１１の第１の切込み１１１ｂの内縁が嵌め込まれる支持壁用溝１１４ｂが形成されている。
【００２６】
本実施形態では、一対の支持壁１１１ａの間への表札板１２の取付けの際には、まず、左右一対のスペーサ１１４が、表札板１２の左右の側辺１２１に、各スペーサ１１４の表札板用溝１１４ａに各側辺１２１が嵌め込まれるように取り付けられる。そして、スペーサ１１４が取り付けられた表札板１２が、各スペーサ１１４の支持壁用溝１１４ｂに各支持壁１１１の第１の切込み１１１ｂの内縁が嵌め込まれるように、一対の支持壁１１１ａの間にスライドして差し込まれる。
【００２７】
図５は、図１及び図２に示されている表札の、図２中のＡ−Ａ切断線に沿った断面を示す断面図である。尚、この図５では、図３では図示が省略されていた連結部１１５が図示されている。
【００２８】
スペーサ１１４が取り付けられた表札板１２が、柱１１１の支持壁１１１ａの間にスライドして差し込まれることで、図５に示されているように、このスペーサ１１４は、表札板１２の側辺１２１と第１の切込み１１１ｂの内縁との間に介在する。そして、このように介在するスペーサ１１４により、表札板１２の側辺１２１と第１の切込み１１１ｂの内縁との間のスペースが埋められ、表札板１２がガタつきを抑えられた状態で柱１１１に保持される。
【００２９】
次に、カバー１１２について説明する。図３に示されているように、このカバー１１２は、カバー本体１１２ａと、２つのキャップ１１２ｂからなる。カバー本体１１２ａは、表札板１２の上辺１２２に沿って延びる中空の角筒形状を有している。キャップ１１２ｂは、カバー本体１１２ａと一緒に２本の柱１１１の上端に取り付けられて、各柱１１１の上端の開口を塞ぐものである。
【００３０】
キャップ１１２ｂは、中空のカバー本体１１２ａの内部に嵌め込まれるカバー用嵌込凸部１１２ｂ−１を有している。各キャップ１１２ｂは、このカバー用嵌込凸部１１２ｂ−１がカバー本体１１２ａの内部に嵌め込まれることで、カバー本体１１２ａの左右の端部に取り付けられる。
【００３１】
また、キャップ１１２ｂは、中空の柱１１１の上端の開口を塞ぐ蓋部１１２ｂ−２と、この蓋部１１２ｂ−２から下方に突出してその上端の開口から柱１１１の内部に嵌め込まれる柱用嵌込凸部１１２ｂ−３と、を有している。この柱用嵌込凸部１１２ｂ−３は、柱１１１における外側の側壁と対向する側壁部１１２ｂ−４と、柱１１１における背面壁と対向する背面壁部１１２ｂ−５と、を有している。そして、この柱用嵌込凸部１１２ｂ−３の側壁部１１２ｂ−４からは、他方のキャップ１１２ｂに向かって円柱状の突起１１２ｂ−６が突出している。また、柱用嵌込凸部１１２ｂ−３の背面壁部１１２ｂ−５には、ネジ孔１１２ｂ−７が形成されており、カバー１１２を固定するための固定ネジ１１３が後述するように捩じ込まれる。
【００３２】
本実施形態では、カバー本体１１２ａの左右の端部に上記のように２つのキャップ１１２ｂが取り付けられてカバー１１２が構成される。そして、そのカバー１１２における各キャップ１１２ｂの柱用嵌込凸部１１２ｂ−３が各柱１１１の上端の開口から次のように嵌め込まれて、カバー１１２が２本の柱１１１に取り付けられる。
【００３３】
図６は、図３に示されているカバーの取付けについて説明する図である。まず、各柱１１１の支持壁１１１ａには、次のような第２の切込み１１１ｃが、第１の切込み１１１ｂよりも、表札１の背面側に設けられている。第２の切込み１１１ｃは、支持壁１１１ａの上縁から第１の切込み１１１ｂに沿ってその中途まで延びる第１部分１１１ｃ−１と、第１の切込み１１１ｂから離れる方向に略直角に第１部分１１１ｃ−１から折れ曲がって延びる第２部分１１１ｃ−２と、からなる略Ｌ字型又は略逆Ｌ字型の切れ込みとなっている。尚、本実施形態では、この第２の切込み１１１ｃにおける第１部分１１１ｃ−１は、第１の切込み１１１ｂと繋がっており、両者合わせて幅広の切込みとなっている。
【００３４】
カバー１１２は、各キャップ１１２ｂの柱用嵌込凸部１１２ｂ−３が各柱１１１の上端の開口から嵌まり込むように各柱１１１の上縁に矢印Ｄ１方向に載せられる。このとき、各キャップ１１２ｂの突起１１２ｂ−６が、第２の切込み１１１ｃにおける第１部分１１１ｃ−１に嵌まり込む。この段階では、カバー１１２は、各キャップ１１２ｂが、表札１の前面側にズレた状態となっている。その後、このズレを解消すべく、カバー１１２は、矢印Ｄ１方向と直交する矢印Ｄ２方向に、表札１の背面側にスライド移動される。このとき、各キャップ１１２ｂの突起１１２ｂ−６は、第２の切込み１１１ｃにおいて第１部分１１１ｃ−１から略直角に折れ曲がった第２部分１１１ｃ−２に進入し、この第２部分１１１ｃ−２の中を移動する。
【００３５】
このように、カバー１１２は、各キャップ１１２ｂの突起１１２ｂ−６が第２の切込み１１１ｃの中を移動するように動かされて、各キャップ１１２ｂが各柱１１１の上縁を塞ぐ位置に配置される。
【００３６】
図７は、図１及び図２に示されている表札の、図２中のＢ−Ｂ切断線に沿った断面を示す断面図である。尚、この図７でも、図３では図示が省略されていた連結部１１５が図示されている。
【００３７】
上述したように、カバー１１２の、矢印Ｄ１方向及び矢印Ｄ２方向の移動により、支持壁１１１ａにおける第２の切込み１１１ｃの中を同方向に移動した各キャップ１１２ｂの突起１１２ｂ−６は、第２部分１１１ｃ−２の内縁に係止した状態となる。
【００３８】
ここで、カバー本体１１２ａは、次のような突出壁１１２ａ―１及び張出壁１１２ａ−２を有している。突出壁１１２ａ―１は、カバー本体１１２ａの下面から下方に突出した壁である。また、張出壁１１２ａ−２は、カバー本体１１２ａにおける、表札１の前面側の縁から下方に折れ曲がって張り出した壁である。表札板１２が２本の柱１１１に取り付けられ、カバー１１２が上記のように移動されると、突出壁１１２ａ―１が、表札板１２の上辺１２２を押え、張出壁１１２ａ−２がこの上辺１２２の近傍を前面側から押える。カバー本体１１２ａにおけるこれら２つの壁による押えによっても、表札板１２のガタつきが抑えられることとなる。また、カバー本体１１２ａは、各キャップ１１２ｂの突起１１２ｂ−６が第２部分１１１ｃ−２の内縁に係止しているので、上方への移動が禁止された状態になり、上記の２つの壁による押えと相俟って、表札板１２の上方への抜け止めの役割も果たすこととなる。
【００３９】
また、本実施形態では、カバー本体１１２ａの、表札板１２側に、この表札板１２を照らす光を発するＬＥＤ光源１３が、表札板１２の上辺１２２に沿って１列に複数個取り付けられている。表札板１２の上辺１２２を押える上記の突出壁１１２ａ―１は、これら複数個のＬＥＤ光源１３を保持する役割も担っている。
【００４０】
上記のように２本の柱１１１に取り付けられたカバー１１２の各キャップ１１２ｂが、図６にも示されているように、各柱１１１における背面壁を貫通して捩じ込まれる固定ネジ１１３によって各柱１１１に固定される。上述したように各キャップ１１２ｂの柱用嵌込凸部１１２ｂ−３の背面壁部１１２ｂ−５には、ネジ孔１１２ｂ−７が形成されている。各柱１１１の背面壁を貫通した固定ネジ１１３はこのネジ孔１１２ｂ−７に捩じ込まれる。そして、この捩じ込みにより、固定ネジ１１３は、各キャップ１１２ｂを、矢印Ｄ２方向に引き付けて各柱１１１に固定する。本実施形態では、カバー１１２の固定が、各キャップ１１２ｂにつき１本、合計で２本の固定ネジ１１３によって行われる。これら２本の固定ネジ１１３によるカバー１１２の固定をもって、本実施形態の表札１における表札板１２の取付けは終了する。
【００４１】
尚、ここまでの説明では、カバー１１２の柱１１１への固定が、柱１１１への表札板１２の取付後に行われることとなっている。表札１の施工時に表札板１２が納品済みである場合にはこの手順で施工が行われるが、表札１の施工時に表札板１２が未納である場合には、次のような手順で施工してもよい。
【００４２】
表札板１２が未納である場合、まず、表札板１２無しの柱１１１にカバー１１２のみを取り付けておく。そして、表札板１２が納品されたときに、２本の固定ネジ１１３を取り外してカバー１１２を外し、柱１１１の間に表札板１２を差し込む。その後、カバー１１２を取り付けて表札１が完成することとなる。
【００４３】
また、後日に表札板１２を別の表札板１２と交換する場合には、その交換は、次のような手順で行われる。まず、２本の固定ネジ１１３を取り外してカバー１１２を外し、柱１１１の間から、既に取り付けられている表札板１２を引き抜く。そして、新たな表札板１２を柱１１１の間に差し込む。その後、カバー１１２を取り付けて交換が完了することとなる。
【００４４】
このように、本実施形態の表札１によれば、門柱１１への表札板１２の取付けは、対向一対の柱１１１に表札板１２をスライドして取り付け、カバー１１２を柱１１１に載せてスライド移動させ、最後に固定ネジ１１３でカバー１１２を柱１１１に固定することで行われる。このような一連の作業では、表札板１２については、柱１１１にスライドして取り付けるだけでよくネジ止め等の固定作業が不要となる。つまり、本実施形態の表札１によれば、図８を参照して説明した従来の表札のように門柱への孔開け作業が不要であり、施工における作業者の負担を軽減することができる。また、表札板１２はスライドして取り付けるだけでよいことから、仮に表札板１２の納品が門柱１１の施工後となったとしても、表札板１２の取付けを簡単に行うことができる。さらには、同様の理由により、表札板１２の交換も簡単に行うことができるため、図８を参照して説明したような交換上の制限を受けることがなく、表札板１２の交換の自由度も高い。つまり、本実施形態の表札１は、表札板１２の取付けが簡単で、後日の表札板１２の交換の自由度も高い。
【００４５】
また、本実施形態の表札１によれば、固定ネジ１１３は、表札板１２における背面側という、人の目に触れ難い方向からカバー１１２を柱１１１に固定する。その結果、本実施形態の表札１は、例えば表札板１２の四隅等といった人の目に触れやすい位置に固定ネジ１１３が現れず、表札板１２の見栄えについて向上されたものとなっている。
【００４６】
また、本実施形態の表札１によれば、固定ネジ１１３が、カバー１１２のスライド移動の方向と同方向にそのカバー１１２を引き付ける役割も果たす。これにより、カバー１１２のスライド移動が仮に不十分だったとしても、カバー１１２の突起１１２ｂ−６が第２の切込み１１１ｃから外れてカバー１１２が動いてしまうといった事態が回避されるので、カバー１１２の取付けを安定的に行うことができる。
【００４７】
また、本実施形態の表札１によれば、表札板１２の左右一対の側辺１２１それぞれと、対向一対の柱１１それぞれの第１の切込み１１１ｂの内縁との間に介在するスペーサ１１４により、表札板１２の左右の各側辺１２１と第１の切込み１１１ｂの内縁との間のスペースが埋められ、表札板１２がガタつきを抑えられた状態で柱１１に保持されることとなる。
【００４８】
また、本実施形態の表札１によれば、カバー１１２の表札板１２側という人の目に付き難い場所にＬＥＤ光源１３が取り付けられるので、表札１全体の見栄えを損なうことなく、夜間でも表札板１２の視認性を高めることができる。
【００４９】
尚、前述した実施形態は本発明の代表的な形態を示したに過ぎず、本発明は、この実施形態に限定されるものではない。即ち、当業者は、従来公知の知見に従い、本発明の骨子を逸脱しない範囲で種々変形して実施することができる。かかる変形によってもなお本発明の表札の構成を具備する限り、勿論、本発明の範疇に含まれるものである。
【００５０】
例えば、上記の実施形態では、本発明にいう表札の一実施形態として、支持体の一例としての門柱１１に表札板１２のみが取り付けられた形態が例示されているが、本発明にいう表札はこの形態に限るものではない。本発明にいう表札は、例えば門柱などの支持体に、ドアホンや新聞受け等といった表札以外の機能部品が取り付けられた形態のものであってもよい。
【００５１】
また、上記の実施形態では、本発明にいう支持体の一例として、門柱１１が例示されているが、本発明にいう支持体はこれに限るものではない。本発明にいう支持体は、例えば住宅を囲む外塀等であってもよい。支持体をこのような外塀とする形態では、外塀において人の出入り口として切れている部分の上隅等に表札板１２の差込み箇所及び、カバー１１２の取付け箇所が設けられることとなる。
【００５２】
また、本実施形態では、本発明にいうカバーの一例として、カバー本体１１２ａの両端にキャップ１１２ｂが取り付けられて構成されるカバー１１２が例示されているが、本発明にいうカバーはこれに限るものではない。本発明にいうカバーは、例えば樹脂成型や、あるいはインモールド成形等によって、図６の斜視図に示されているような形状が一体的に形成されたもの等であってもよい。
【００５３】
また、本実施形態では、本発明にいう第２の切込みの一例として、第１の切込み１１１ｂに沿ってその中途まで延びる第１部分１１１ｃ−１が、第１の切込み１１１ｂと繋がって幅広の切込みとなった第２の切込み１１１ｃが例示されている。しかしながら、本発明にいう第２の切込みは、これに限るものではなく、例えば、第１の切込みに沿ってその中途まで延びる部分が第１の切込みから離れて延びているものであってもよい。
【００５４】
また、本実施形態では、本発明にいう光源の一例として、表札板１２の上辺１２２に沿って１列に配列されたＬＥＤ光源１３が例示されているが、本発明にいう光源はこれに限るものではない。本発明にいう光源は、例えば表札板１２の上辺１２２に沿って複数列に配列されたもの等であってもよい。
【符号の説明】
【００５５】
１      表札
１１    門柱（支持体）
１２    表札板
１３    ＬＥＤ光源
１１１  柱（支持部材）
１１１ｂ  第１の切込み
１１１ｃ  第２の切込み
１１２  カバー
１１２ｂ−６  突起
１１３  固定ネジ（固定部材）
１１４  スペーサ
【図１】
2015124581.tif 000003
【図２】
2015124581.tif 000004
【図３】
2015124581.tif 000005
【図４】
2015124581.tif 000006
【図５】
2015124581.tif 000007
【図６】
2015124581.tif 000008
【図７】
2015124581.tif 000009
【図８】
2015124581.tif 000010